(57)【特許請求の範囲】
【請求項１】
アナログの第１の試験信号を生成する試験信号生成部（１）と、
前記第１の試験信号を指定された通信方式の無線信号に変換し、被試験端末に出力する基地局模擬装置（２）と、
前記無線信号を受けて前記被試験端末から出力されたアナログの第２の試験信号と、前記第１の試験信号とを受けて、前記第１の試験信号と前記第２の試験信号との間の時間差を測定する測定部（４）と、
を備え、通信方式の異なる複数種類の前記被試験端末を試験する移動体通信端末試験システムであって、
前記基地局模擬装置は、
前記第１の試験信号をＡ／Ｄ変換してデジタル信号として出力するＡ／Ｄ変換部（２１１）と、
記憶部（２１３）と、
前記デジタル信号を所定の変換方式に基づき符号化して一連のデジタルデータを生成し、前記デジタルデータを第１の単位ごとに前記記憶部に遂次書き込む符号化処理部（２１２）と、
前記デジタルデータを、記憶された順に第２の単位ごとに前記記憶部から読み出し、読み出された前記デジタルデータを前記指定された通信方式に基づき処理してフレームデータを生成するフレーム生成部（２１４）と、
前記フレームデータをアナログのベースバンド信号に変換するＤ／Ａ変換部（２１５）と、
前記ベースバンド信号を前記指定された通信方式に従い周波数変換して試験対象である移動体通信端末に出力する周波数変換部（２１６）と、
前記符号化処理部が、前記記憶部への前記一連のデジタルデータの書き込みを開始するタイミングと、前記フレーム生成部が、前記記憶部から前記一連のデジタルデータの読み出しを開始するタイミングとを同期させるタイミング制御部（２１７）と、
を備え、
前記基地局模擬装置が、前記第１の試験信号を受けて前記無線信号を出力するまでの遅延時間を各通信方式において一定に保つことを特徴とする移動体通信端末試験システム。
【請求項２】
アナログの第３の試験信号を生成する試験信号生成部（１）と、
前記第３の試験信号を受けた被試験端末から出力された無線信号を受けて、指定された通信方式に基づきアナログの第４の試験信号に変換して出力する基地局模擬装置（２）と、
前記第３の試験信号と前記第４の試験信号とを受けて、前記第３の試験信号と前記第４の試験信号との間の時間差を測定する測定部（４）と、
を備え、通信方式の異なる複数種類の前記被試験端末を試験する移動体通信端末試験システムであって、
前記基地局模擬装置は、
前記無線信号を受けて、前記指定された通信方式に基づき周波数変換してベースバンド信号として出力する周波数変換部（２２６）と、
前記ベースバンド信号をＡ／Ｄ変換してフレームデータとして出力するＤ／Ａ変換部（２２５）と、
記憶部（２２３）と、
前記フレームデータを前記指定された通信方式に基づき処理して一連のデジタルデータを取出し、前記デジタルデータを第３の単位ごとに前記記憶部に遂次書き込むフレーム解析部（２２４）と、
前記デジタルデータを、記憶された順に第４の単位ごとに前記記憶部から読み出し、所定の変換方式に基づき復号し、デジタル信号として出力する復号処理部（２２２）と、
前記デジタル信号を前記第４の試験信号に変換するＤ／Ａ変換部（２２１）と、
前記フレーム解析部が、前記記憶部への前記一連のデジタルデータの書き込みを開始するタイミングと、前記復号処理部が、前記記憶部から前記一連のデジタルデータの読み出しを開始するタイミングとを同期させるタイミング制御部（２２７）と、
を備え、
前記基地局模擬装置が、前記無線信号を受けて前記第４の試験信号を出力するまでの遅延時間を各通信方式において一定に保つことを特徴とする移動体通信端末試験システム。
【請求項３】
アナログの試験信号を受けて、前記試験信号をＡ／Ｄ変換してデジタル信号として出力するＡ／Ｄ変換部（２１１）と、
記憶部（２１３）と、
前記デジタル信号を所定の変換方式に基づき符号化してデジタルデータを生成し、前記デジタルデータを第１の単位ごとに前記記憶部に遂次書き込む符号化処理部（２１２）と、
前記デジタルデータを、記憶された順に第２の単位ごとに前記記憶部から読み出し、読み出された前記デジタルデータを指定された通信方式に基づき処理してフレームデータを生成するフレーム生成部（２１４）と、
前記フレームデータをアナログのベースバンド信号に変換するＤ／Ａ変換部（２１５）と、
前記ベースバンド信号を前記指定された通信方式に従い周波数変換して試験対象である移動体通信端末に出力する周波数変換部（２１６）と、
前記符号化処理部が、前記記憶部への前記一連のデジタルデータの書き込みを開始するタイミングと、前記フレーム生成部が、前記記憶部から前記一連のデジタルデータの読み出しを開始するタイミングとを同期させるタイミング制御部（２１７）と、
を備えた基地局模擬装置。
【請求項４】
試験対象である移動体通信端末からアナログの無線信号を受けて、指定された通信方式に基づき周波数変換してベースバンド信号として出力する周波数変換部（２２６）と、
前記ベースバンド信号をＡ／Ｄ変換してフレームデータとして出力するＤ／Ａ変換部（２２５）と、
記憶部（２２３）と、
前記フレームデータから前記指定された通信方式に基づき処理してデジタルデータを取出し、前記デジタルデータを第３の単位ごとに前記記憶部に遂次書き込むフレーム解析部（２２４）と、
前記デジタルデータを、記憶された順に第４の単位ごとに前記記憶部から読み出し、所定の変換方式に基づき復号し、デジタル信号として出力する復号処理部（２２２）と、
前記デジタル信号をアナログの試験信号に変換するＤ／Ａ変換部（２２１）と、
前記フレーム解析部が、前記記憶部への前記一連のデジタルデータの書き込みを開始するタイミングと、前記復号処理部が、前記記憶部から前記一連のデジタルデータの読み出しを開始するタイミングとを同期させるタイミング制御部（２２７）と、
を備えた基地局模擬装置。
【請求項５】
アナログの第１の試験信号を生成する試験信号生成ステップと、
前記第１の試験信号をＡ／Ｄ変換してデジタル信号として出力するＡ／Ｄ変換ステップと、
前記デジタル信号を所定の変換方式に基づき符号化してデジタルデータを生成する、符号化処理ステップと、
前記デジタルデータを第１の単位ごとに記憶部に遂次書き込む書き込みステップと、
前記書き込みステップに同期して、前記デジタルデータを、記憶された順に第２の単位ごとに前記記憶部から読み出す読み出しステップと、
読み出された前記デジタルデータを指定された通信方式に基づき処理してフレームデータを生成するフレーム生成ステップと、
前記フレームデータをアナログのベースバンド信号に変換するＤ／Ａ変換ステップと、
前記ベースバンド信号を前記指定された通信方式に従い周波数変換して無線信号を生成し、前記無線信号を試験対象である移動体通信端末に出力する周波数変換ステップと、
前記無線信号を受けて前記被試験端末から出力されたアナログの第２の試験信号と、前記第１の試験信号とを受けて、前記第１の試験信号と前記第２の試験信号との間の時間差を測定する測定ステップと、
を備えたことを特徴とする遅延時間測定方法。
【請求項６】
アナログの第３の試験信号を生成する試験信号生成ステップと、
前記第３の試験信号を受けた被試験端末から出力された無線信号を受けて、指定された通信方式に基づき周波数変換してベースバンド信号として出力する周波数変換ステップと、
前記ベースバンド信号をＡ／Ｄ変換してフレームデータとして出力するＤ／Ａ変換ステップと、
前記フレームデータを前記指定された通信方式に基づき処理してデジタルデータを取出すフレーム解析ステップと、
前記デジタルデータを第３の単位ごとに記憶部に遂次書き込む書き込みステップと、
前記書き込みステップに同期して前記デジタルデータを、記憶された順に第４の単位ごとに前記記憶部から読み出す読み出しステップと、
読み出された前記デジタルデータを、所定の変換方式に基づき復号し、デジタル信号として出力する復号処理ステップと、
前記デジタル信号を前記第４の試験信号に変換するＤ／Ａ変換ステップと、
前記第３の試験信号と前記第４の試験信号とを受けて、前記第３の試験信号と前記第４の試験信号との間の時間差を測定する測定ステップと、
を備えたことを特徴とする遅延時間測定方法。
【発明の詳細な説明】
【技術分野】
【０００１】
本発明は、移動体通信端末と基地局との間の遅延時間を測定するための技術に関し、特に移動体通信端末内で生じる遅延の時間を測定するための技術に関する。
【背景技術】
【０００２】
基地局と移動体通信端末との間で通信を行う場合、一方の機器に入力された信号（例えば、音声信号）が他方の機器から出力されるまでの間には遅延が生じる。これは、各機器を構成する機能ブロック（部品）での信号及びデータの処理に時間を要するためである。移動体通信端末のメーカーは、製造された移動体通信端末で生じる遅延時間を電気通信事業者に通知する必要があり、この遅延時間の測定を行っている。
【０００３】
従来は、移動体通信端末を構成する機能ブロックごとの遅延時間を測定して、これらの測定値を基に移動体通信端末の遅延時間を理論的に算出することが可能であった。
【０００４】
一方、近年で、機能ブロックを組み合わせてモジュール化された部品を組み合わせることで各移動体通信端末が製造されるようになってきている。これらのモジュール化された部品はブラックボックス化されており、メーカー側で移動体通信端末の遅延時間の理論値を算出することが困難になってきている。
【０００５】
そこで、製造された移動体通信端末自体の遅延時間を測定する方法が用いられるようになってきている。このような場合には、移動体通信端末を基地局模擬装置に接続することで移動体通信端末試験システムを構成して、このシステムの遅延時間を測定する。具体的には、基地局模擬装置から試験信号を移動体通信端末に送信し、この試験信号と移動体通信端末で受信された信号との間の遅延時間を測定する。測定された遅延時間には、基地局模擬装置内での遅延時間が含まれるため、これを減算することで移動体通信端末の遅延時間を算出することが可能である。
【０００６】
一方で、このような基地局模擬装置は、通信方式の異なる複数の移動体通信端末を試験できるように構成されることが望まれる。ところで、通信方式が異なると、その通信方式に応じてデータの処理単位（例えば、フレーム長やスロット長）が異なる。そのため、基地局模擬装置は、入力信号のデータを選択された通信方式の処理単位ごとのデータに変換する。具体的には、基地局模擬装置は、まず入力信号のデータをメモリ等の記憶部に一時的に記憶させる。基地局模擬装置は、記憶部に記憶されたデータを、通信方式に対応した処理単位ごとに、記憶された順に読み出す（即ち、ＦＩＦＯ：Ｆｉｒｓｔ  Ｉｎ  Ｆｉｒｓｔ  Ｏｕｔ）。これにより、データの処理単位が、入力信号に応じた処理単位から、通信方式に応じた処理単位に変換される。これは、逆の場合、即ち、移動体通信端末から通信方式に応じたデータを受けて、基地局模擬装置から信号を出力する場合も同様である。この場合、記憶部を介して、通信方式に応じた処理単位から基地局模擬装置から出力する信号に応じた処理単位に変換する点も同様である。
【０００７】
しかしながら、従来の基地局模擬装置では、このデータの処理単位の変換に掛かる処理時間が一意に定まらなかった。これは、記憶部へのデータの書込みの開始と、記憶部に記憶されたデータの読出しの開始が非同期で動作しており、データが入力されてから出力されるまでの期間にバラつきが生じるためである。そのため、従来の基地局模擬装置では、遅延時間を一意的に特定することが困難であり、移動体通信端末試験システムの遅延時間を基に、移動体通信端末の遅延時間を精度よく算出することが困難であった。
【先行技術文献】
【特許文献】
【０００８】
【特許文献１】特開平１０−４２３４３号公報
【発明の概要】
【発明が解決しようとする課題】
【０００９】
この発明は、基地局模擬装置の遅延時間を一意的に特定できる構成とすることで、移動体通信端末の遅延時間を精度よく算出可能とすることを目的とする。
【課題を解決するための手段】
【００１０】
上記目的を達成するために、請求項１に記載の発明は、アナログの第１の試験信号を生成する試験信号生成部（１）と、前記第１の試験信号を指定された通信方式の無線信号に変換し、被試験端末に出力する基地局模擬装置（２）と、前記無線信号を受けて前記被試験端末から出力されたアナログの第２の試験信号と、前記第１の試験信号とを受けて、前記第１の試験信号と前記第２の試験信号との間の時間差を測定する測定部（４）と、を備え、通信方式の異なる複数種類の前記被試験端末を試験する移動体通信端末試験システムであって、前記基地局模擬装置は、前記第１の試験信号をＡ／Ｄ変換してデジタル信号として出力するＡ／Ｄ変換部（２１１）と、記憶部（２１３）と、前記デジタル信号を所定の変換方式に基づき符号化して一連のデジタルデータを生成し、前記デジタルデータを第１の単位ごとに前記記憶部に遂次書き込む符号化処理部（２１２）と、前記デジタルデータを、記憶された順に第２の単位ごとに前記記憶部から読み出し、読み出された前記デジタルデータを前記指定された通信方式に基づき処理してフレームデータを生成するフレーム生成部（２１４）と、前記フレームデータをアナログのベースバンド信号に変換するＤ／Ａ変換部（２１５）と、前記ベースバンド信号を前記指定された通信方式に従い周波数変換して試験対象である移動体通信端末に出力する周波数変換部（２１６）と、前記符号化処理部が、前記記憶部への前記一連のデジタルデータの書き込みを開始するタイミングと、前記フレーム生成部が、前記記憶部から前記一連のデジタルデータの読み出しを開始するタイミングとを同期させるタイミング制御部（２１７）と、を備え、前記基地局模擬装置が、前記第１の試験信号を受けて前記無線信号を出力するまでの遅延時間を各通信方式において一定に保つことを特徴とする移動体通信端末試験システムである。
また、請求項２に記載の発明は、アナログの第３の試験信号を生成する試験信号生成部（１）と、前記第３の試験信号を受けた被試験端末から出力された無線信号を受けて、指定された通信方式に基づきアナログの第４の試験信号に変換して出力する基地局模擬装置（２）と、前記第３の試験信号と前記第４の試験信号とを受けて、前記第３の試験信号と前記第４の試験信号との間の時間差を測定する測定部（４）と、を備え、通信方式の異なる複数種類の前記被試験端末を試験する移動体通信端末試験システムであって、前記基地局模擬装置は、前記無線信号を受けて、前記指定された通信方式に基づき周波数変換してベースバンド信号として出力する周波数変換部（２２６）と、前記ベースバンド信号をＡ／Ｄ変換してフレームデータとして出力するＤ／Ａ変換部（２２５）と、記憶部（２２３）と、前記フレームデータを前記指定された通信方式に基づき処理して一連のデジタルデータを取出し、前記デジタルデータを第３の単位ごとに前記記憶部に遂次書き込むフレーム解析部（２２４）と、前記デジタルデータを、記憶された順に第４の単位ごとに前記記憶部から読み出し、所定の変換方式に基づき復号し、デジタル信号として出力する復号処理部（２２２）と、前記デジタル信号を前記第４の試験信号に変換するＤ／Ａ変換部（２２１）と、前記フレーム解析部が、前記記憶部への前記一連のデジタルデータの書き込みを開始するタイミングと、前記復号処理部が、前記記憶部から前記一連のデジタルデータの読み出しを開始するタイミングとを同期させるタイミング制御部（２２７）と、を備え、前記基地局模擬装置が、前記無線信号を受けて前記第４の試験信号を出力するまでの遅延時間を各通信方式において一定に保つことを特徴とする移動体通信端末試験システムである。
また、請求項３に記載の発明は、アナログの試験信号を受けて、前記試験信号をＡ／Ｄ変換してデジタル信号として出力するＡ／Ｄ変換部（２１１）と、記憶部（２１３）と、前記デジタル信号を所定の変換方式に基づき符号化してデジタルデータを生成し、前記デジタルデータを第１の単位ごとに前記記憶部に遂次書き込む符号化処理部（２１２）と、前記デジタルデータを、記憶された順に第２の単位ごとに前記記憶部から読み出し、読み出された前記デジタルデータを指定された通信方式に基づき処理してフレームデータを生成するフレーム生成部（２１４）と、前記フレームデータをアナログのベースバンド信号に変換するＤ／Ａ変換部（２１５）と、前記ベースバンド信号を前記指定された通信方式に従い周波数変換して試験対象である移動体通信端末に出力する周波数変換部（２１６）と、前記符号化処理部が、前記記憶部への前記一連のデジタルデータの書き込みを開始するタイミングと、前記フレーム生成部が、前記記憶部から前記一連のデジタルデータの読み出しを開始するタイミングとを同期させるタイミング制御部（２１７）と、を備えた基地局模擬装置である。
また、請求項４に記載の発明は、試験対象である移動体通信端末からアナログの無線信号を受けて、指定された通信方式に基づき周波数変換してベースバンド信号として出力する周波数変換部（２２６）と、前記ベースバンド信号をＡ／Ｄ変換してフレームデータとして出力するＤ／Ａ変換部（２２５）と、記憶部（２２３）と、前記フレームデータから前記指定された通信方式に基づき処理してデジタルデータを取出し、前記デジタルデータを第３の単位ごとに前記記憶部に遂次書き込むフレーム解析部（２２４）と、前記デジタルデータを、記憶された順に第４の単位ごとに前記記憶部から読み出し、所定の変換方式に基づき復号し、デジタル信号として出力する復号処理部（２２２）と、前記デジタル信号をアナログの試験信号に変換するＤ／Ａ変換部（２２１）と、前記フレーム解析部が、前記記憶部への前記一連のデジタルデータの書き込みを開始するタイミングと、前記復号処理部が、前記記憶部から前記一連のデジタルデータの読み出しを開始するタイミングとを同期させるタイミング制御部（２２７）と、を備えた基地局模擬装置である。
また、請求項５に記載の発明は、アナログの第１の試験信号を生成する試験信号生成ステップと、前記第１の試験信号をＡ／Ｄ変換してデジタル信号として出力するＡ／Ｄ変換ステップと、前記デジタル信号を所定の変換方式に基づき符号化してデジタルデータを生成する、符号化処理ステップと、前記デジタルデータを第１の単位ごとに記憶部に遂次書き込む書き込みステップと、前記書き込みステップに同期して、前記デジタルデータを、記憶された順に第２の単位ごとに前記記憶部から読み出す読み出しステップと、読み出された前記デジタルデータを指定された通信方式に基づき処理してフレームデータを生成するフレーム生成ステップと、前記フレームデータをアナログのベースバンド信号に変換するＤ／Ａ変換ステップと、前記ベースバンド信号を前記指定された通信方式に従い周波数変換して無線信号を生成し、前記無線信号を試験対象である移動体通信端末に出力する周波数変換ステップと、前記無線信号を受けて前記被試験端末から出力されたアナログの第２の試験信号と、前記第１の試験信号とを受けて、前記第１の試験信号と前記第２の試験信号との間の時間差を測定する測定ステップと、を備えたことを特徴とする遅延時間測定方法である。
また、請求項６に記載の発明は、アナログの第３の試験信号を生成する試験信号生成ステップと、前記第３の試験信号を受けた被試験端末から出力された無線信号を受けて、指定された通信方式に基づき周波数変換してベースバンド信号として出力する周波数変換ステップと、前記ベースバンド信号をＡ／Ｄ変換してフレームデータとして出力するＤ／Ａ変換ステップと、前記フレームデータを前記指定された通信方式に基づき処理してデジタルデータを取出すフレーム解析ステップと、前記デジタルデータを第３の単位ごとに記憶部に遂次書き込む書き込みステップと、前記書き込みステップに同期して前記デジタルデータを、記憶された順に第４の単位ごとに前記記憶部から読み出す読み出しステップと、読み出された前記デジタルデータを、所定の変換方式に基づき復号し、デジタル信号として出力する復号処理ステップと、前記デジタル信号を前記第４の試験信号に変換するＤ／Ａ変換ステップと、前記第３の試験信号と前記第４の試験信号とを受けて、前記第３の試験信号と前記第４の試験信号との間の時間差を測定する測定ステップと、を備えたことを特徴とする遅延時間測定方法である。
【発明の効果】
【００１１】
本発明に係る技術は、例えば送信時に着目した場合、記憶部へのデジタルデータの書き込みが開始されるタイミングに同期して、記憶部からのデジタルデータの読み出しを開始し、各通信方式に沿ったフレームデータを生成する構成とした。これにより、基地局模擬装置が、第１の試験信号を受けて無線信号を出力するまでの遅延時間が少なくとも通信方式ごとに一定に保たれる。これは、受信時においても同様であり、無線信号を受けて第４の試験信号を出力するまでの遅延時間が一定に保たれる。そのため、移動体通信端末試験システムの遅延時間を測定することで、このシステムの遅延時間と基地局模擬装置の遅延時間とに基づき、移動体通信端末の遅延時間を精度よく算出することが可能となる。
【図面の簡単な説明】
【００１２】
【図１】第１の実施形態に係る移動体通信端末試験システムのブロック図である。
【図２】基地局模擬装置の送信部のブロック図である。
【図３】第１の実施形態に係る移動体通信端末試験システムの一連の処理を示したフローチャートである。
【図４】第２の実施形態に係る移動体通信端末試験システムのブロック図である。
【図５】基地局模擬装置の受信部のブロック図である。
【図６】第２の実施形態に係る移動体通信端末試験システムの一連の処理を示したフローチャートである。
【発明を実施するための形態】
【００１３】
移動体通信端末の遅延時間の測定には、「受信時の測定」と「送信時の測定」とが含まれる。「受信時の測定」では、移動体通信端末が基地局からの信号を受信する場合における遅延時間を測定する。また、「送信時の測定」では、移動体通信端末が基地局に信号を送信する場合の遅延時間を測定する。本発明に係る移動体通信端末試験装置は、通信方式の異なる複数の移動体通信端末を試験できるように構成されている。この通信方式には、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）、ＧＳＭ、ＴＤ−ＳＣＤＭＡ（Ｔｉｍｅ  Ｄｉｖｉｓｉｏｎ  Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ）等が含まれる。以降では、本発明に係る移動体通信端末試験システムについて、基地局と移動体通信端末との間で音声信号を送受信する場合を例に説明する。まず、「受信時の測定」に係る移動体通信端末試験システムの構成及び動作について、第１の実施形態として説明する。なお、「送信時の測定」に係る移動体通信端末試験システムの構成及び動作については、第２の実施形態として後述する。
【００１４】
（第１の実施形態）
第１の実施形態に係る移動体通信端末試験システムの構成について、図１を参照しながら説明する。図１に示すように、本実施形態に係る移動体通信端末試験システムは、試験信号生成部１と、基地局模擬装置２と、測定部４とを含んで構成され、被試験端末３を試験するようになっている。基地局模擬装置２は、送信部２１と、受信部２２とを含んで構成されており、本実施形態（即ち、「受信時の測定」）においては送信部２１が使用される。なお、受信部２２は、第２の実施形態（即ち、「送信時の測定」）において使用される。
【００１５】
試験信号生成部１は、試験用のアナログの音声信号ＡＦ１を生成する。試験信号生成部１は、生成された音声信号ＡＦ１を送信部２１及び測定部４に出力する。送信部２１及び測定部４については後述する。なお、音声信号ＡＦ１が「第１の試験信号」に相当する。
【００１６】
送信部２１は、試験信号生成部１から音声信号ＡＦ１を受ける。送信部２１は、音声信号ＡＦ１をデジタルデータに変換し、測定の条件として指定された所定の通信方式に基づき符号化及び変調を施してアナログの搬送波ＲＦに変換する。この送信部２１の動作の詳細について、図２を参照しながら説明する。図２は、送信部２１のブロック図である。
【００１７】
図２に示すように、送信部２１は、Ａ／Ｄ変換部２１１と、符号化処理部２１２と、記憶部２１３と、フレーム生成部２１４と、Ｄ／Ａ変換部２１５と、周波数変換部２１６と、タイミング制御部２１７とを含んで構成される。
【００１８】
試験信号生成部１から出力された音声信号ＡＦ１は、Ａ／Ｄ変換部２１１に入力される。Ａ／Ｄ変換部２１１は、音声信号ＡＦ１をＡ／Ｄ変換し、デジタル信号Ｄｘとして符号化処理部２１２に出力する。
【００１９】
符号化処理部２１２は、Ａ／Ｄ変換部２１１からデジタル信号Ｄｘを受ける。符号化処理部２１２は、所定の単位Ｕ１分のデータを１ブロックとして、デジタル信号Ｄｘをブロックごとに、所定のコーデック（即ち、変換方式：ここでは音声データ圧縮処理）に基づきデジタルデータＤｙに変換する。このコーデックは、例えばＧＳＭ−ＡＭＲ音声コーデックである。ここで所定の単位Ｕ１は、コーデックのフレーム長（２０ｍｓ分）を示している。
【００２０】
符号化処理部２１２は、タイミング制御部２１７からの指示を受けて、記憶部２１３へのデジタルデータＤｙの書き込みを開始する。このとき、符号化処理部２１２は、デジタルデータＤｙを、ブロックごとに記憶部２１３に書き込む。タイミング制御部２１７については後述する。なお、単位Ｕ１が「第１の単位」に相当する。
【００２１】
記憶部２１３は、デジタルデータＤｙを一時的に記憶する（即ち、バッファである）。記憶部２１３は、ＦＩＦＯとして構成されている。記憶部２１３に記憶されたデジタルデータＤｙは、書き込まれた順にフレーム生成部２１４により読み出される。
【００２２】
フレーム生成部２１４は、タイミング制御部２１７からの指示を受けて、記憶部２１３に記憶されたデジタルデータＤｙの読み出しを開始する。このとき、フレーム生成部２１４は、記憶部２１３に記憶された順に、所定の単位Ｕ２のデータを１ブロックとして、ブロックごとにデジタルデータＤｙを読み出す。なお、１ブロック分のデータ量（即ち、単位Ｕ２）は、あらかじめ指定された通信方式（以降は、「所定の通信方式」と呼ぶ）のフレーム長に基づきあらかじめ設定されている。例えば、通信方式としてＷ−ＣＤＭＡが指定された場合、フレーム生成部２１４は、フレーム長（１０ｍｓ）に基づき、２フレーム分（２０ｍｓ）のデータを１ブロックとして処理する。また、通信方式としてＧＳＭが指定された場合には、フレーム生成部２１４は、フレーム長（４．６２ｍｓ）に基づき、４フレーム分（１８．４８ｍｓ）のデータを１ブロックとして処理する。なお、単位Ｕ２が「第２の単位」に相当する。
【００２３】
なお、通信方式に応じた１ブロック分のデータ量（単位Ｕ２）の違いにより、通信方式間でブロックごとのデータの先頭が処理されるタイミングにずれが生じる場合がある。その場合には、フレーム生成部２１４は、通信方式に応じて所定のタイミングで空のデータを挿入することで、あらかじめ決められたタイミング（例えば、６０ｍｓごと）に所定のブロックの先頭のデータを同期させる。例えば、フレーム生成部２１４は、ＧＳＭが指定された場合には、３ブロック分のデータを処理するごとに１フレーム分の空のデータを挿入する。こうすることで、３ブロック分のデータの処理タイミングが、６０ｍｓごとの処理タイミングに同期される。なお、Ｗ−ＣＤＭＡの場合には、１ブロックが２０ｍｓ分のデータに相当するため、３ブロック分のデータの処理が、６０ｍｓごとの処理タイミングに同期される。そのため、Ｗ−ＣＤＭＡの場合には、フレーム生成部２１４は、空のデータの挿入を行わない。
【００２４】
フレーム生成部２１４は、ブロックごとに読み出されたデジタルデータＤｙを、所定の通信方式に応じた変調方式（例えば、直交変調）に基づき変調して、当該通信方式に応じたフレーム構造を有するフレームデータＤｚを生成する。フレーム生成部２１４は、フレームデータＤｚをＤ／Ａ変換部２１５に出力する。このフレームデータＤｚは、デジタルのベースバンド信号である。
【００２５】
タイミング制御部２１７は、符号化処理部２１２が記憶部２１３へのデジタルデータＤｙの書き込みを開始するタイミングと、フレーム生成部２１４が記憶部２１３からのデジタルデータＤｙの読み出しを開始するタイミングとを制御する。このとき、タイミング制御部２１７は、記憶部２１３への書き込みが開始されるタイミングと、記憶部２１３からの読み出しが開始されるタイミングとを同期させる。なお、記憶部２１３からの読み出しが開始されるタイミングは、記憶部２１３への書き込みが開始されるタイミングと同時か、またはそれより遅いタイミングであればよい。また、タイミング制御部２１７を、符号化処理部２１２及びフレーム生成部２１４のいずれかの構成に含め、当該構成の指示に基づき他方の構成が処理を開始するタイミングを制御するように動作させてもよい。
【００２６】
Ｄ／Ａ変換部２１５は、フレーム生成部２１４からフレームデータＤｚを受けると、受けたフレームデータＤｚをアナログ信号ＡｘにＤ／Ａ変換する。Ｄ／Ａ変換部２１５は、アナログ信号Ａｘを周波数変換部２１６に出力する。このアナログ信号Ａｘは、アナログのベースバンド信号である。
【００２７】
周波数変換部２１６は、Ｄ／Ａ変換部２１５からアナログ信号Ａｘを受けると、受けたアナログ信号Ａｘを所定の通信方式に基づいて周波数変換する。周波数変換部２１６は、周波数変換されたアナログ信号Ａｘ、即ち搬送波ＲＦを被試験端末３に送信する。なお、基地局模擬装置２と被試験端末３とは、無線または有線（試験用に同軸ケーブルで搬送波ＲＦを伝搬する）で接続されている。被試験端末３は、この搬送波ＲＦを前述した所定の通信方式に基づき復号して、スピーカ等の出力部を介して音声信号ＡＦ２として出力する。なお、音声信号ＡＦ２が「第２の試験信号」に相当する。
【００２８】
ここで図１を参照する。測定部４は、試験信号生成部１から音声信号ＡＦ１を受ける。また、測定部４は、被試験端末３の出力部から出力された音声信号ＡＦ２を、マイク等の入力部を介して受ける。測定部４は、音声信号ＡＦ１の波形と音声信号ＡＦ２の波形とを比較し、この２つの波形の間の遅延時間を測定する。測定部４としては、一般的には、オシロスコープ等の複数のアナログ波形を比較可能な機器が用いられる。あるいは、２つの波形の相関処理を行って遅延時間を求めるものでもよい。
【００２９】
次に、本実施形態に係る移動体通信端末試験システムの一連の動作について図３を参照しながら説明する。図３は、移動体通信端末試験システムの一連の処理の流れを示したフローチャートである。
【００３０】
（ステップＳ１１）
試験信号生成部１は、試験用のアナログの音声信号ＡＦ１を生成する。試験信号生成部１は、生成された音声信号ＡＦ１を送信部２１及び測定部４に出力する。
【００３１】
（ステップＳ１２）
試験信号生成部１から出力された音声信号ＡＦ１は、Ａ／Ｄ変換部２１１に入力される。Ａ／Ｄ変換部２１１は、音声信号ＡＦ１をＡ／Ｄ変換し、デジタル信号Ｄｘとして符号化処理部２１２に出力する。
【００３２】
符号化処理部２１２は、Ａ／Ｄ変換部２１１からデジタル信号Ｄｘを受ける。符号化処理部２１２は、所定の単位Ｕ１分のデータを１ブロックとして、デジタル信号Ｄｘをブロックごとに、所定のコーデック（即ち、変換方式：ここでは音声データ圧縮処理）に基づきデジタルデータＤｙに変換する。
【００３３】
（ステップＳ１３）
符号化処理部２１２は、タイミング制御部２１７からの指示を受けて、記憶部２１３へのデジタルデータＤｙの書き込みを開始する。このとき、符号化処理部２１２は、デジタルデータＤｙを、ブロックごとに記憶部２１３に書き込む。
【００３４】
（ステップＳ１４）
フレーム生成部２１４は、タイミング制御部２１７からの指示を受けて、記憶部２１３に記憶されたデジタルデータＤｙの読み出しを開始する。このとき、フレーム生成部２１４は、記憶部２１３に記憶された順に、所定の単位Ｕ２のデータを１ブロックとして、ブロックごとにデジタルデータＤｙを読み出す。このとき、タイミング制御部２１７は、符号化処理部２１２が記憶部２１３へのデジタルデータＤｙの書き込みを開始するタイミングと、フレーム生成部２１４が記憶部２１３からのデジタルデータＤｙの読み出しを開始するタイミングとを同期させる。
【００３５】
（ステップＳ１５）
フレーム生成部２１４は、ブロックごとに読み出されたデジタルデータＤｙを、所定の通信方式に応じた変調方式（例えば、直交変調）に基づき変調して、当該通信方式に応じたフレーム構造を有するフレームデータＤｚを生成する。フレーム生成部２１４は、フレームデータＤｚをＤ／Ａ変換部２１５に出力する。
【００３６】
Ｄ／Ａ変換部２１５は、フレーム生成部２１４からフレームデータＤｚを受けると、受けたフレームデータＤｚをアナログ信号ＡｘにＤ／Ａ変換する。Ｄ／Ａ変換部２１５は、アナログ信号Ａｘを周波数変換部２１６に出力する。
【００３７】
周波数変換部２１６は、Ｄ／Ａ変換部２１５からアナログ信号Ａｘを受けると、受けたアナログ信号Ａｘを所定の通信方式に基づいて周波数変換する。周波数変換部２１６は、周波数変換されたアナログ信号Ａｘ、即ち搬送波ＲＦを被試験端末３に送信する。
【００３８】
（ステップＳ１６）
被試験端末３は、周波数変換部２１６から受信した搬送波ＲＦを前述した所定の通信方式に基づき復号して、スピーカ等の出力部を介して音声信号ＡＦ２として出力する。測定部４は、被試験端末３の出力部から出力された音声信号ＡＦ２を、マイク等の入力部を介して受ける。
【００３９】
（ステップＳ１７）
また、測定部４は、試験信号生成部１から音声信号ＡＦ１を受ける。測定部４は、音声信号ＡＦ１の波形と音声信号ＡＦ２の波形とを比較し、この２つの波形の間の遅延時間を測定する。
【００４０】
以上、本実施形態に係る基地局模擬装置２に依れば、タイミング制御部２１７の制御により、記憶部２１３にデジタルデータＤｙが書き込まれるタイミングと、記憶部２１３からデジタルデータＤｙが読み出されるタイミングとが同期する。これにより、基地局模擬装置２が、音声信号ＡＦ１を受けて搬送波ＲＦを出力するまでの遅延時間が少なくとも通信方式ごとに一定に保たれる。そのため、基地局模擬装置２の遅延時間を事前に測定することが可能となる。これにより、測定部４で音声信号ＡＦ１と音声信号ＡＦ２との間の遅延時間を算出し、算出された遅延時間から事前に測定された基地局模擬装置２の遅延時間を減算することで、被試験端末３の遅延時間を精度よく算出することが可能となる。
【００４１】
（第２の実施形態）
第２の実施形態に係る移動体通信端末試験システムの構成について、図４を参照しながら説明する。図４に示すように、本実施形態に係る移動体通信端末試験システムは、試験信号生成部１と、基地局模擬装置２と、測定部４とを含んで構成され、被試験端末３を試験するようになっている。基地局模擬装置２は、送信部２１と、受信部２２とを含んで構成されており、本実施形態（即ち、「送信時の測定」）においては受信部２２が使用される。
【００４２】
試験信号生成部１は、試験用のアナログの音声信号ＡＦ３を生成する。試験信号生成部１は、生成された音声信号ＡＦ３を被試験端末３及び測定部４に出力する。測定部４については後述する。被試験端末３は、マイク等の入力部を介して音声信号ＡＦ３を受ける。被試験端末３は、受けた音声信号ＡＦ３をあらかじめ決められた通信方式に基づき符号化することで搬送波ＲＦに変換し、搬送波ＲＦを受信部２２に送信する。なお、音声信号ＡＦ３が「第３の試験信号」に相当する。
【００４３】
受信部２２は、被試験端末３から搬送波ＲＦを受ける。受信部２２は、搬送波ＲＦを測定の条件として指定された所定の通信方式に基づき復号したうえで音声信号ＡＦ４に変換する。この受信部２２の動作の詳細について、図５を参照しながら説明する。図５は、受信部２２のブロック図である。なお、音声信号ＡＦ４が「第４の試験信号」に相当する。
【００４４】
図５に示すように、受信部２２は、Ｄ／Ａ変換部２２１と、復号処理部２２２と、記憶部２２３と、フレーム解析部２２４と、Ａ／Ｄ変換部２２５と、周波数変換部２２６と、タイミング制御部２２７とを含んで構成される。
【００４５】
被試験端末３から送信された搬送波ＲＦは、周波数変換部２２６に入力される。周波数変換部２２６は、所定の通信方式に基づいて搬送波ＲＦを周波数変換する。周波数変換部２２６は、周波数変換された搬送波ＲＦ、即ちアナログ信号ＡｘをＡ／Ｄ変換部２２５に出力する。
【００４６】
Ａ／Ｄ変換部２２５は、周波数変換部２２６からアナログ信号Ａｘを受けると、受けたアナログ信号Ａｘをデジタルの信号にＡ／Ｄ変換する。このデジタル信号は、所定の通信方式に基づいたフレーム構造を有するフレームデータＤｚに相当する。Ａ／Ｄ変換部２２５は、フレームデータＤｚをフレーム解析部２２４に出力する。
【００４７】
フレーム解析部２２４は、Ａ／Ｄ変換部２２５からフレームデータＤｚを受けると、受けたフレームデータＤｚを所定の通信方式に応じた変調方式に基づき復調して、デジタルデータＤｙを取り出す。
【００４８】
フレーム解析部２２４は、タイミング制御部２２７からの指示を受けて、記憶部２２３へのデジタルデータＤｙの書き込みを開始する。このとき、フレーム解析部２２４は、取り出されたデジタルデータＤｙを、所定の単位Ｕ２のデータを１ブロックとして、ブロックごとに記憶部２２３に書き込む。なお、この単位Ｕ２は、第１の実施形態における単位Ｕ２と同様であり、「第３の単位」に相当する。
【００４９】
記憶部２２３は、デジタルデータＤｙを一時的に記憶する（即ち、バッファである）。記憶部２２３は、ＦＩＦＯとして構成されている。記憶部２２３に記憶されたデジタルデータＤｙは、書き込まれた順に復号処理部２２２により読み出される。
【００５０】
復号処理部２２２は、タイミング制御部２２７からの指示を受けて、記憶部２２３に記憶されたデジタルデータＤｙの読み出しを開始する。このとき、復号処理部２２２は、記憶部２２３に記憶された順に、所定の単位Ｕ１のデータを１ブロックとして、ブロックごとにデジタルデータＤｙを読み出す。なお、この単位Ｕ１は、第１の実施形態における単位Ｕ１と同様であり、「第４の単位」に相当する。
【００５１】
復号処理部２２２は、読み出されたデジタルデータＤｙを、所定のコーデック（即ち、変換方式：ここでは音声圧縮データの伸長処理）に基づきデジタル信号Ｄｘに復号する。このコーデックは、例えばＧＳＭ−ＡＭＲ音声コーデックである。復号処理部２２２は、復号されたデジタル信号ＤｘをＤ／Ａ変換部２２１に出力する。
【００５２】
タイミング制御部２２７は、フレーム解析部２２４が記憶部２２３へのデジタルデータＤｙの書き込みを開始するタイミングと、復号処理部２２２が記憶部２２３からのデジタルデータＤｙの読み出しを開始するタイミングとを制御する。このとき、タイミング制御部２２７は、記憶部２２３への書き込みが開始されるタイミングと、記憶部２２３からの読み出しが開始されるタイミングとを同期させる。なお、記憶部２２３からの読み出しが開始されるタイミングは、記憶部２２３への書き込みが開始されるタイミングと同時か、またはそれより遅いタイミングであればよい。また、タイミング制御部２２７を、フレーム解析部２２４及び復号処理部２２２のいずれかの構成に含め、当該構成の指示に基づき他方の構成が処理を開始するタイミングを制御するように動作させてもよい。
【００５３】
Ｄ／Ａ変換部２２１は、復号処理部２２２からデジタル信号Ｄｘを受けると、受けたデジタル信号Ｄｘをアナログの音声信号ＡＦ４にＤ／Ａ変換する。Ｄ／Ａ変換部２２１は、音声信号ＡＦ４を測定部４に出力する。
【００５４】
ここで図４を参照する。測定部４は、試験信号生成部１から音声信号ＡＦ３を受ける。また、測定部４は、受信部２２のＤ／Ａ変換部２２１から出力された音声信号ＡＦ４を受ける。測定部４は、音声信号ＡＦ３の波形と音声信号ＡＦ４の波形とを比較し、この２つの波形の間の遅延時間を測定する。
【００５５】
次に、本実施形態に係る移動体通信端末試験システムの一連の動作について図６を参照しながら説明する。図６は、移動体通信端末試験システムの一連の処理の流れを示したフローチャートである。
【００５６】
（ステップＳ２１）
試験信号生成部１は、試験用のアナログの音声信号ＡＦ３を生成する。試験信号生成部１は、生成された音声信号ＡＦ３を被試験端末３及び測定部４に出力する。被試験端末３は、マイク等の入力部を介して音声信号ＡＦ３を受ける。
【００５７】
（ステップＳ２２）
被試験端末３は、受けた音声信号ＡＦ３をあらかじめ決められた通信方式に基づき符号化することで搬送波ＲＦに変換し、搬送波ＲＦを受信部２２に送信する。被試験端末３から送信された搬送波ＲＦは、周波数変換部２２６に入力される。
【００５８】
（ステップＳ２３）
周波数変換部２２６は、所定の通信方式に基づいて搬送波ＲＦを周波数変換する。周波数変換部２２６は、周波数変換された搬送波ＲＦ、即ちアナログ信号ＡｘをＡ／Ｄ変換部２２５に出力する。
【００５９】
Ａ／Ｄ変換部２２５は、周波数変換部２２６からアナログ信号Ａｘを受けると、受けたアナログ信号Ａｘをデジタルの信号にＡ／Ｄ変換する。Ａ／Ｄ変換部２２５は、フレームデータＤｚをフレーム解析部２２４に出力する。
【００６０】
フレーム解析部２２４は、Ａ／Ｄ変換部２２５からフレームデータＤｚを受けると、受けたフレームデータＤｚを所定の通信方式に応じた変調方式に基づき復調して、デジタルデータＤｙを取り出す。
【００６１】
（ステップＳ２４）
フレーム解析部２２４は、タイミング制御部２２７からの指示を受けて、記憶部２２３へのデジタルデータＤｙの書き込みを開始する。このとき、フレーム解析部２２４は、取り出されたデジタルデータＤｙを、所定の単位Ｕ２のデータを１ブロックとして、ブロックごとに記憶部２２３に書き込む。
【００６２】
（ステップＳ２５）
復号処理部２２２は、タイミング制御部２２７からの指示を受けて、記憶部２２３に記憶されたデジタルデータＤｙの読み出しを開始する。このとき、復号処理部２２２は、記憶部２２３に記憶された順に、所定の単位Ｕ１のデータを１ブロックとして、ブロックごとにデジタルデータＤｙを読み出す。このとき、タイミング制御部２２７は、フレーム解析部２２４が記憶部２２３へのデジタルデータＤｙの書き込みを開始するタイミングと、復号処理部２２２が記憶部２２３からのデジタルデータＤｙの読み出しを開始するタイミングとを同期させる。
【００６３】
（ステップＳ２６）
復号処理部２２２は、読み出されたデジタルデータＤｙを、所定のコーデック（即ち、変換方式：ここでは音声圧縮データの伸長処理）に基づきデジタル信号Ｄｘに復号する。復号処理部２２２は、復号されたデジタル信号ＤｘをＤ／Ａ変換部２２１に出力する。
【００６４】
Ｄ／Ａ変換部２２１は、復号処理部２２２からデジタル信号Ｄｘを受けると、受けたデジタル信号Ｄｘをアナログの音声信号ＡＦ４にＤ／Ａ変換する。Ｄ／Ａ変換部２２１は、音声信号ＡＦ４を測定部４に出力する。
【００６５】
（ステップＳ２７）
測定部４は、試験信号生成部１から音声信号ＡＦ３を受ける。また、測定部４は、受信部２２のＤ／Ａ変換部２２１から出力された音声信号ＡＦ４を受ける。測定部４は、音声信号ＡＦ３の波形と音声信号ＡＦ４の波形とを比較し、この２つの波形の間の遅延時間を測定する。
【００６６】
以上、本実施形態に係る基地局模擬装置２に依れば、タイミング制御部２２７の制御により、記憶部２２３にデジタルデータＤｙが書き込まれるタイミングと、記憶部２２３からデジタルデータＤｙが読み出されるタイミングとが同期する。これにより、基地局模擬装置２が、搬送波ＲＦを受けて音声信号ＡＦ４を出力するまでの遅延時間が少なくとも通信方式ごとに一定に保たれる。そのため、測定部４で音声信号ＡＦ３と音声信号ＡＦ４との間の遅延時間を算出することで、算出された遅延時間から被試験端末３の遅延時間を精度よく算出することが可能となる。
【符号の説明】
【００６７】
１  試験信号生成部
２  基地局模擬装置
２１  送信部
２１１  Ａ／Ｄ変換部
２１２  符号化処理部
２１３  記憶部
２１４  フレーム生成部
２１５  Ｄ／Ａ変換部
２１６  周波数変換部
２１７  タイミング制御部
２２  受信部
２２１  Ｄ／Ａ変換部
２２２  復号処理部
２２３  記憶部
２２４  フレーム解析部
２２５  Ａ／Ｄ変換部
２２６  周波数変換部
２２７  タイミング制御部
３  被試験端末
４  測定部
【図１】
0005139550.tif 000002
【図２】
0005139550.tif 000003
【図３】
0005139550.tif 000004
【図４】
0005139550.tif 000005
【図５】
0005139550.tif 000006
【図６】
0005139550.tif 000007